(57)【要約】【課題】部品点数が少なく、しかも容易に組み立てることができる光アダプタを提供する。【解決手段】光アダプタを第１のハウジング３と第２のハウジング５とスリーブ７とで構成した。第１のハウジング３をコネクタ保持部３１と第１のホルダ部３３と整列部３５と連結部３６とで構成した。第１のホルダ部３３をコネクタ保持部３１と一体に形成した。整列部３５を整列部本体３５１とこの整列部本体３５１に一体に形成された第２のホルダ部３５２と整列部本体３５１に一体に形成された複数のガイド部３５２，３５４，３５５とで構成する。コネクタ保持部３１と整列部本体３５のうちの一方にコネクタ保持部３１と整列部３５とを連結する突状の連結部３６を一体に形成した。【選択図】図２
2010026318.tif 000002
【特許請求の範囲】
【請求項１】
第１の光コネクタが接続される第１のハウジングと、
第２の光コネクタが接続され、前記第１のハウジングと嵌合する第２のハウジングと、
前記第１のハウジングに接続された前記第１の光コネクタの光学接続部の端面と前記第２のハウジングに接続された前記第２の光コネクタの光学接続部の端面とを突き合わせるスリーブと
を備え、
前記第１のハウジングは、前記第１の光コネクタを保持するコネクタ保持部本体と、このコネクタ保持部本体と一体に形成され、前記スリーブの一端側部分を保持する第１のホルダ部とを有するコネクタ保持部と、
前記コネクタ保持部本体に装着可能な整列部本体と、この整列部本体と一体に形成され、前記スリーブの他端側部分を保持する第２のホルダ部と、前記整列部本体と一体に形成され、前記第１のハウジングと前記第２のハウジングとを嵌合させるときに前記第２のハウジングを相対的にガイドする複数の突状のガイド部とを有する整列部とを有し、
前記コネクタ保持部本体及び前記整列部本体の一方に前記コネクタ保持部本体と前記整列部本体とを互いに連結する突状の連結部が一体に形成されている
ことを特徴とする光アダプタ。
【請求項２】
前記ガイド部の大きさがそれぞれ異なることを特徴とする請求項１記載の光アダプタ。
【請求項３】
前記整列部本体に対する前記ガイド部の位置がそれぞれ異なることを特徴とする請求項１記載の光アダプタ。
【請求項４】
前記ガイド部の長さがそれぞれ異なることを特徴とする請求項１記載の光アダプタ。
【発明の詳細な説明】
【技術分野】
【０００１】
この発明は光コネクタ同士を光学的に接続する光アダプタに関する。
【背景技術】
【０００２】
従来、第１のハウジングと第２のハウジングとスリーブホルダー組立体とからなる光アダプタが知られている（下記特許文献１参照）。
【０００３】
第１のハウジングはほぼ角筒状であり、一対のガイドを有する。一対のガイドはそれぞれ長板状であり、同じ方向へ平行に延びている。
【０００４】
第２のハウジングはほぼ直方体状である。第２のハウジングの中央には、割りスリーブとスリーブホルダー組立体の一方のホルダーと一方の光コネクタのフェルールとが収容される穴が形成されている。また、第２のハウジングの左右両側面には、第１のハウジングの一対のガイドをガイドする一対のガイド溝が形成されている。
【０００５】
スリーブホルダー組立体は一対のスリーブホルダーと割りスリーブとで構成されている。
【０００６】
一対のスリーブホルダーは同形状であるが、互いに上下を逆にして組み合わされる。スリーブホルダーはホルダーと支持体とを有する。ホルダーは割りスリーブを保持する。支持体はほぼ長方形であり、ホルダーと一体である。
【０００７】
この光アダプタを組立てるには、一対のスリーブホルダーでスリーブを保持し、その後スリーブホルダー同士を係合してスリーブホルダー組立体を組み立てる。
【０００８】
次に、スリーブホルダー組立体を第１ハウジングの開口部に装着する。その結果、スリーブホルダー組立体の一方のスリーブホルダーが第１のハウジング内に収容され、スリーブホルダー組立体の他方のスリーブホルダーが第１のハウジングの外部へ突出する。
【０００９】
この光アダプタによって光コネクタ同士を光学的に接続するには、まず、第１のハウジングと第２のハウジングとにそれぞれ光コネクタを嵌合させる。このとき、第１のハウジングに装着されたスリーブホルダー組立体の一方のスリーブホルダーには第１光コネクタのフェルールが挿入される。
【００１０】
次に、第１のハウジングと第２のハウジングとを嵌合させる。このとき、第１のハウジングのガイドが第２のハウジングのガイド溝によって案内され、第１のハウジングと第２のハウジングとの嵌合が正常に行われる。
【００１１】
第１のハウジングと第２のハウジングとが嵌合すると、第２のハウジングに接続した第２光コネクタのフェルールがスリーブホルダー組立体の他方のスリーブホルダーに挿入されるとともに、第１光コネクタのフェルールに突き合わされる。その結果、両光コネクタ同士が光学的に接続される。
【特許文献１】特開２００６−１８４３６７号公報
【発明の開示】
【発明が解決しようとする課題】
【００１２】
上述の光アダプタでは、スリーブホルダー組立体を用いるので、部品点数が多いという問題があった。
【００１３】
また、スリーブホルダー組立体を第１のハウジングに装着するには、第１のハウジングの一対のガイドの間にスリーブホルダー組立体を通す必要があり、光アダプタの組立作業が容易でなかった。
【００１４】
この発明はこのような事情に鑑みてなされたもので、その課題は部品点数が少なく、しかも容易に組み立てることができる光アダプタを提供することである。
【課題を解決するための手段】
【００１５】
前述の課題を解決するため請求項１の発明の光アダプタは、第１の光コネクタが接続される第１のハウジングと、第２の光コネクタが接続され、前記第１のハウジングと嵌合する第２のハウジングと、前記第１のハウジングに接続された前記第１の光コネクタの光学接続部の端面と前記第２のハウジングに接続された前記第２の光コネクタの光学接続部の端面とを突き合わせるスリーブとを備え、前記第の１ハウジングは、前記第１の光コネクタを保持するコネクタ保持部本体と、このコネクタ保持部本体と一体に形成され、前記スリーブの一端側部分を保持する第１のホルダ部とを有するコネクタ保持部と、前記コネクタ保持部本体に装着可能な整列部本体と、この整列部本体と一体に形成され、前記スリーブの他端側部分を保持する第２のホルダ部と、前記整列部本体と一体に形成され、前記第１のハウジングと前記第２のハウジングとを嵌合させるときに前記第２のハウジングを相対的にガイドする複数の突状のガイド部とを有する整列部とを有し、前記コネクタ保持部本体及び前記整列部本体の一方に前記コネクタ保持部本体と前記整列部本体とを互いに連結する突状の連結部が一体に形成されていることを特徴とする。
【００１６】
光アダプタの第１のホルダ部がコネクタ保持部本体に一体に形成されているので、光アダプタの部品点数を少なくすることができる。
【００１７】
コネクタ保持部本体及び整列部本体の一方にコネクタ保持部本体と整列部本体とを互いに連結する突状の連結部が一体に形成されているので、コネクタ保持部本体及び整列部本体の他方のホルダ部にスリーブを、突状の連結部に妨げられることなく、挿入することができ、光アダプタの組立作業が容易になる。
【００１８】
請求項２の発明は、請求項１記載の光アダプタにおいて、前記ガイド部の大きさがそれぞれ異なることを特徴とする。
【００１９】
請求項３の発明は、請求項１記載の光アダプタにおいて、前記整列部本体に対する前記ガイド部の位置がそれぞれ異なることを特徴とする。
【００２０】
請求項４の発明は、請求項１記載の光アダプタにおいて、前記ガイド部の長さがそれぞれ異なることを特徴とする。
【発明の効果】
【００２１】
この発明によれば、部品点数が少なく、しかも容易に組み立てることができる光アダプタを提供することができる。
【発明を実施するための最良の形態】
【００２２】
以下、この発明の実施の形態を図面に基づいて説明する。
【００２３】
図１はこの発明の一実施形態に係る光アダプタの第１のハウジング３と第２のハウジング５とが分離した状態を示す斜視図である。
【００２４】
図１に示すように、この光アダプタは第１のハウジング３と第２のハウジング５と割りスリーブ（スリーブ）７（図２参照）とを備える。
【００２５】
第１のハウジング３には図示しない第１の光コネクタが接続され、第２のハウジング５には第２の光コネクタ２２が接続されている。第１のハウジング３と第２のハウジング５とは互いに嵌合可能である。第１のハウジング３と第２のハウジング５とが互いに嵌合したとき、第１の光コネクタの図示しないフェルール（光学接続部）の端面と第２の光コネクタ２２のフェルール（光学接続部）２２１の端面とが割りスリーブ７内で互いに突き合わされ、第１の光コネクタと第２の光コネクタとが光学的に接続される。
【００２６】
図２は図１に示す光アダプタの第１のハウジング３の分解斜視図、図３は図１に示す光アダプタの第１ハウジング３の組立状態の斜視図、図４は図１に示す光アダプタの第１ハウジング３のコネクタ保持部３１の断面図、図５は図１に示す光アダプタの第１ハウジング３の正面図である。
【００２７】
図２、図３に示すように、第１のハウジング３はコネクタ保持部３１と整列部３５とを有する。
【００２８】
図２、図４に示すように、コネクタ保持部３１は保持部本体３４と第１ホルダ部３３とを有する。保持部本体３４はほぼ筐体状であり、第１の光コネクタを受容する受容空間３１１を有する。
【００２９】
コネクタ保持部本体３４の上部にはロック部３１２が一体に設けられている。ロック部３１２はアーム部３１２ａとロック用爪３１２ｂと操作ボタン３１２ｃとを有する。アーム部３１２ａはほぼ長板状であり、その厚さ方向へ弾性変形することができる。ロック用爪３１２ｂはアーム部３１２ａの先端に連なる。ロック用爪３１２ｂには切欠３１２ｄが形成されている。ロック用爪３１２ｂは後述するロック部５２に係合する。
【００３０】
コネクタ保持部本体３４の先端面には挿入孔３１３が形成されている。
【００３１】
図４に示すように、第１のホルダ部３３はほぼ円筒状であり、コネクタ保持部本体３４に一体に形成されている。第１のホルダ部３３はコネクタ保持部本体３４内に配置されている。第１のホルダ部３３は割りスリーブ７の後側部分を受け容れて保持する。
【００３２】
図２、図５に示すように、整列部３５は整列部本体３５１と第２のホルダ部３５２と３つのガイド部３５３，３５４，３５５と２つの係合片（連結部）３６，３６とを有する。
【００３３】
整列部本体３５１はほぼ矩形の板状である。整列部本体３５１の上部には切欠３５１ａが形成されている。切欠３５１ａは整列部本体３５１をコネクタ保持部本体３４に装着したときに、整列部本体３５１とコネクタ保持部３１のロック部３１２との干渉を回避させる。
【００３４】
第２のホルダ部３５２はほぼ円筒状であり、整列部本体３５１の前面の中央部に一体に形成されている。第２のホルダ部３５２は整列部本体３５１に対してほぼ直角に延びている。第２のホルダ部３５２は割りスリーブ７の前側部分を受け容れて保持する。
【００３５】
図２、図５に示すように、ガイド部３５３，３５４はそれぞれ整列部本体３５１の前面の側部に一体に形成されている。ガイド部３５３，３５４はほぼ矩形の板状であり、第２のハウジング５に対する第１のハウジング３の嵌合・離脱方向ＤＣに沿って延びている。ガイド部３５３，３５４は平行である。ガイド部３５３，３５４の短手方向はコネクタ保持部３の高さ方向Ｈと平行である。ガイド部３５３の短手方向の寸法はガイド部３５４の短手方向の寸法よりも大きい。相対するガイド部３５３，３５４の内側の面の下部にはそれぞれ肉厚部３５３ａ，３５４ａが形成されている。
【００３６】
ガイド部３５５は整列部本体３５１の前面の下部に一体に形成されている。ガイド部３５５はほぼ矩形であり、嵌合・離脱方向ＤＣに沿って延びている。
【００３７】
本実施例でのガイド部３５３とガイド部３５４のそれぞれの嵌合・離脱方向ＤＣ方向の長さは同一であるが、長さを異ならせても良い。
【００３８】
係合片３６，３６はそれぞれ整列部本体３５１の後面の両側部に一体に形成されている。係合片３６，３６はほぼＴ字形であり、嵌合・離脱方向ＤＣに沿って延びている。係合片３６，３６はコネクタ保持部３１の挿入孔３１３，３１３からコネクタ保持部本体３４内に挿入され、コネクタ保持部本体３４内に形成された図示しない被係合部と係合して整列部本体３５１がコネクタ保持部本体３４に連結される。このようにして整列部３５とコネクタ保持部３１との連結状態が維持される。
【００３９】
図１に示すように、第２のハウジング５はハウジング本体５１とロック部５２とロックアーム５３と挿入部５４とを有する。第２のハウジング５はその先端部が筐体Ｂの外部へ突出するように、筐体Ｂに取り付けられている。
【００４０】
ハウジング本体５１は筐体状である。ハウジング本体５１の両側壁には凹部５１ａが形成され、それぞれ第１のハウジング３のガイド部３５３，３５４を受け容れて保持する。また、ハウジング本体５１の両側壁には凹部５１ａの他に切欠５１ｂが形成されている。切欠５１ｂは第１のハウジング３のガイド部３５３，３５４の肉厚部３５３ａ，３５４ａを受け容れる。
【００４１】
ロック部５２はハウジング本体５１の前部の上部に一体に形成されている。ロック部５２はほぼ枠状であり、第１のハウジング３のロック部３１２の先端部を受け容れ、その後面でロック部３１２のロック用爪３１２ｂを受け止める。
【００４２】
ロックアーム５３はハウジング本体５１の上部に一体に形成されている。ロックアーム５３は爪部５３ａを有する。爪部５３ａの撓み変形を邪魔しないように逃げ部として切り欠いた第１のハウジング３ａのロック部３１２ｂの切欠３１２ｄに爪部５３ａが入る。
【００４３】
挿入部５４はほぼフレーム状であり、ハウジング本体５１の前部の下部に一体に形成されている。挿入部５４には第１のハウジング３のガイド部３５５が挿入される。
【００４４】
次に、第１ハウジング３の組立について説明する。
【００４５】
まず、割りスリーブ７の後側部分を第１のホルダ部３３に挿入し、割りスリーブ７の後側部分を第１のホルダ部３３に保持させる（図２、図４参照）。コネクタ保持部３１の前面には割りスリーブ７の第１のホルダ部３３への挿入を邪魔するような突起がないので、割りスリーブ７の第１のホルダ部３３への挿入作業は容易である。
【００４６】
次に、整列部３５の係合片３６，３６をそれぞれコネクタ保持部３１の挿入孔３１３，３１３に挿入するとともに、コネクタ保持部３１に保持された割りスリーブ７の前側部分を整列部３５の第２のホルダ部３５２に挿入する。なお、第２のホルダ部３５２の先端部には突部が設けられており、これによりスリーブ７が抜け落ちないようになっている。
【００４７】
係合片３６，３６の全体がコネクタ保持部３１内に挿入されると、係合片３６，３６がコネクタ保持部３１内の被係合部と係合して整列部本体３５１がコネクタ保持部本体３４に連結される。
【００４８】
以上のようにして第１のハウジング３の組立が完了する。
【００４９】
次に、この光アダプタによる第１の光コネクタと第２の光コネクタ２２との接続作業について説明する。
【００５０】
まず、図１に示すように、第１のハウジング３のガイド部３５３，３５４，３５５をそれぞれ第２のハウジング５の凹部５１ａ，５１ａ、挿入部５４に挿入するととともに、第１のハウジング３のロック部３１２を第２のハウジング５のロック部５２に挿入する。このとき、ガイド部３５３，３５４，３５５は相対的に第２のハウジング５を嵌合・離脱方向ＤＣへ案内する。また、第１のハウジング３のロック部３１２のロック用爪３１２ｂは第２のハウジング５のロック部５２を通過する途中で押し下げられてアーム３１２ａが撓み、ロック用爪３１２ｂがロック部５２を通過したとき、アーム３１２ａの復帰力によってもとの位置に戻る。その結果、ロック用爪３１２ｂはロック部５２の後面に接触し、第１のハウジング３のロック部３１２が第２のハウジング５のロック部５２にロックされる。
【００５１】
割りスリーブ７内では、第１のハウジング３に接続された第１の光コネクタのフェルールの端面と第２のハウジング５に接続された第２の光コネクタ２２のフェルール２２１の端面とが突き合わされ、第１の光コネクタと第２の光コネクタ２２とが光学的に接続される。
【００５２】
第１のハウジング３と第２のハウジング５とが互いにロックされた状態から第１のハウジング３と第２のハウジング５とを離脱させるには、第１のハウジング３のロック部３１２のボタン３１２ｃを押し下げ、ロック部３１２のロック用爪３１２ｂと第２のハウジング５のロック部５２との係合を解き、第１のハウジング３を後方へ引っ張ればよい。
【００５３】
この実施形態によれば、第１のホルダ部３３がコネクタ保持部３１に一体に形成されているので、その分部品点数を減らすことができる。
【００５４】
また、係合片３６，３６が整列部本体３５１に形成されているので、割りスリーブ７を第１のホルダ部３３に先に挿入するようにすれば、割りスリーブ７を第１のホルダ部３３に挿入するときに邪魔となる突起がコネクタ保持部３１にないので、割りスリーブ７の挿入作業が容易である。
【００５５】
なお、この実施形態では、突状の連結部として係合片３６，３６を整列部３５の整列部本体３５１に一体に形成したが、突状の連結部をコネクタ保持部３１のコネクタ保持部本体３４に設けてもよい。この場合、予め割りスリーブ７を整列部３５の第２のホルダ部３５２に挿入しておき、その後に光アダプタの組立を行うようにする。
【００５６】
また、この実施形態では、スリーブとして割りスリーブ７を用いたが、スリーブは割りスリーブ７に限られない。
【図面の簡単な説明】
【００５７】
【図１】図１はこの発明の一実施形態に係る光アダプタの第１のハウジングと第２のハウジングとが分離した状態を示す斜視図である。
【図２】図２は図１に示す光アダプタの第１のハウジングの分解斜視図である。
【図３】図３は図１に示す光アダプタの第１ハウジングの組立状態の斜視図である。
【図４】図４は図１に示す光アダプタの第１ハウジングのコネクタ保持部の断面図である。
【図５】図５は図１に示す光アダプタの第１ハウジングの正面図である。
【符号の説明】
【００５８】
３  第１のハウジング
５  第２のハウジング
７  割スリーブ（スリーブ）
３１  コネクタ保持部
３３  第１のホルダ部
３４  コネクタ保持部本体
３５  整列部
３５１  整列部材本体（本体）
３５２  第２のホルダ部
３５３，３５４，３５５  ガイド部
３６  係合片（連結部）
【図１】
2010026318.tif 000003
【図２】
2010026318.tif 000004
【図３】
2010026318.tif 000005
【図４】
2010026318.tif 000006
【図５】
2010026318.tif 000007
【手続補正書】
【提出日】平成20年7月28日(2008.7.28)
【手続補正１】
【補正対象書類名】図面
【補正対象項目名】全図
【補正方法】変更
【補正の内容】
【図１】
2010026318.tif 000008
【図２】
2010026318.tif 000009
【図３】
2010026318.tif 000010
【図４】
2010026318.tif 000011
【図５】
2010026318.tif 000012